【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
頭部搭載型表示装置内で没入型コンテンツをレンダリングするとき前記頭部搭載型表示装置の仮想カメラ（１０）の照準方向を決定する方法であって、
−少なくとも１つの基準方向を得ることであって、基準方向は前記没入型コンテンツの関心領域の方を指す、得ること、
−前記カメラに関連する少なくとも１つのコントローラから前記頭部搭載型装置の向きを得ること、
−前記少なくとも１つの基準方向に従って関数を表すパラメータを決定することであって、前記関数は前記仮想カメラの照準方向と前記頭部搭載型表示装置の前記向きとの間の乖離度を表す、決定すること、及び
−前記頭部搭載型表示装置の前記向きに対して前記関数を適用して、前記頭部搭載型表示装置の前記向きと前記仮想カメラの新たな照準方向との間の差を作り出すことによって前記仮想カメラの前記新たな照準方向を決定すること
を含む、方法。
【請求項２】
前記関数がシグモイド様の関数である、請求項１に記載の方法。
【請求項３】
前記組の少なくとも１つの基準方向が前記カメラの位置及び別のオブジェクトの位置に従って決定される、請求項１又は２に記載の方法。
【請求項４】
前記基準方向の数が経時変化する、請求項１乃至３の何れか一項に記載の方法。
【請求項５】
前記少なくとも１つの基準方向が、前記関数を表す前記パラメータを決定するのに使用される基準パラメータに関連する、請求項１乃至４の何れか一項に記載の方法。
【請求項６】
前記少なくとも１つの基準方向が経時変化する、請求項１乃至５の何れか一項に記載の方法。
【請求項７】
前記新たな照準方向を前記カメラに伝送することを更に含む、請求項１乃至６の何れか一項に記載の方法。
【請求項８】
頭部搭載型表示装置内で没入型コンテンツをレンダリングするとき前記頭部搭載型表示装置の仮想カメラの照準方向を決定するように構成される機器であって、
−少なくとも１つの基準方向を得るための手段であって、基準方向は前記没入型コンテンツの関心領域の方を指す、手段と、
−前記頭部搭載型装置の向きを得るための前記カメラに関連する少なくとも１つのコントローラと、
−前記少なくとも１つの基準方向に従って関数を表すパラメータを決定するように構成されるプロセッサであって、前記関数は前記仮想カメラの照準方向と前記頭部搭載型表示装置の前記向きとの間の乖離度を表す、プロセッサと、
−前記頭部搭載型表示装置の前記向きに対して前記関数を適用して、前記頭部搭載型表示装置の前記向きと前記仮想カメラの新たな照準方向との間の差を作り出すことによって前記仮想カメラの前記新たな照準方向を決定するように構成されるプロセッサと
を含む、機器。
【請求項９】
前記関数がシグモイド様の関数である、請求項８に記載の機器。
【請求項１０】
前記組の少なくとも１つの基準方向が前記カメラの位置及び別のオブジェクトの位置に従って決定される、請求項８又は９に記載の機器。
【請求項１１】
前記基準方向の数が経時変化する、請求項８乃至１０の何れか一項に記載の機器。
【請求項１２】
前記組の少なくとも１つの基準方向が、前記関数を表す前記パラメータを決定するのに使用される基準パラメータに関連する、請求項８乃至１１の何れか一項に記載の機器。
【請求項１３】
前記少なくとも１つの基準方向が経時変化する、請求項８乃至１２の何れか一項に記載の機器。
【請求項１４】
前記新たな照準方向を前記カメラに伝送するための送信機を更に含む、請求項８乃至１３の何れか一項に記載の機器。
【請求項１５】
少なくとも請求項１乃至７の何れか一項に記載の方法のステップをプロセッサに実行させるための命令を内部に記憶している、非一時的プロセッサ可読媒体。
【手続補正２】
【補正対象書類名】明細書
【補正対象項目名】００５６
【補正方法】変更
【補正の内容】
【００５６】
幾つかの実装を記載してきた。それでもなお、様々な修正が加えられ得ることが理解されよう。例えば、他の実装を作り出すために別の実装の要素が組み合わせられ、補われ、修正され、又は除去され得る。更に、開示した構造及びプロセスを他の構造及びプロセスが置換しても良く、その結果生じる実装が開示した実装と少なくともほぼ同じ結果を実現するために、少なくともほぼ同じ機能を少なくともほぼ同じやり方で実行することを当業者なら理解されよう。従って、これらの及び他の実装も本願によって予期される。
［付記１］
カメラ（１０）の照準方向（２２）を決定する方法であって、
−１組の少なくとも１つの基準方向（１３、５１、５２）を得ること（７２）、
−前記カメラに関連する少なくとも１つのコントローラの第２のパラメータ（２１、４１、４４）を得ること（７４）、
−前記１組の少なくとも１つの基準方向（１３、５１、５２）に従って乖離度関数（３２、４２、４３、４５、５３）を表す第１のパラメータを計算すること（７３）であって、前記乖離度関数は照準方向と前記第２のパラメータに関連する方向との間の乖離度を表す、計算すること（７３）、及び
−前記少なくとも１つのコントローラの前記第２のパラメータに対して前記乖離度関数を適用することにより、前記カメラの前記照準方向を計算すること（７５）
を含むことを特徴とする、方法。
［付記２］
前記乖離度関数（３２、４２、４３、４５、５３）がシグモイド様の関数である、付記１に記載の方法。
［付記３］
前記組の少なくとも１つの基準方向（１３、５１、５２）が前記カメラの位置及び別のオブジェクトの位置に従って決定される、付記１又は２に記載の方法。
［付記４］
前記組の基準方向（１３、５１、５２）の数が経時変化する、付記１乃至３の何れか一項に記載の方法。
［付記５］
前記組の少なくとも１つの基準方向（１３、５１、５２）が、前記乖離度関数（３２、４２、４３、４５、５３）を表す前記第１のパラメータを計算するのに使用される基準パラメータ（３３、３４）に関連する、付記１乃至４の何れか一項に記載の方法。
［付記６］
前記組の少なくとも１つの基準方向（１３、５１、５２）が経時変化する、付記１乃至５の何れか一項に記載の方法。
［付記７］
前記照準方向（２２）を前記カメラ（１０）に伝送すること（７６）を更に含む、付記１乃至６の何れか一項に記載の方法。
［付記８］
カメラ（１０）の照準方向（２２）を決定するように構成される機器（６０）であって、
−１組の少なくとも１つの基準方向（１３、５１、５２）を得るための手段と、
−方向コマンド（２１）を表す第２のパラメータを得るための前記カメラ（１０）に関連する少なくとも１つのコントローラ（１２）と、
−前記１組の少なくとも１つの基準方向（１３、５１、５２）に従って乖離度関数（３２、４２、４３、４５、５３）を表す第１のパラメータを計算するように構成されるプロセッサであって、前記乖離度関数は照準方向と前記第２のパラメータに関連する方向との間の乖離度を表す、プロセッサと、
−前記少なくとも１つのコントローラ（１２）の前記第２のパラメータに対して前記乖離度関数（３２、４２、４３、４５、５３）を適用することにより、前記カメラ（１０）の前記照準方向（２２）を計算するように構成されるプロセッサと
を含むことを特徴とする、機器（６０）。
［付記９］
前記乖離度関数（３２、４２、４３、４５、５３）がシグモイド様の関数である、付記８に記載の機器。
［付記１０］
前記組の少なくとも１つの基準方向（１３、５１、５２）が前記カメラ（１０）の位置及び別のオブジェクトの位置に従って決定される、付記８又は９に記載の機器。
［付記１１］
前記組の基準方向（１３、５１、５２）の数が経時変化する、付記８乃至１０の何れか一項に記載の機器。
［付記１２］
前記組の少なくとも１つの基準方向（１３、５１、５２）が、前記乖離度関数（３２、４２、４３、４５、５３）を表す前記第１のパラメータを計算するのに使用される基準パラメータ（３３、３４）に関連する、付記８乃至１１の何れか一項に記載の機器。
［付記１３］
前記組の少なくとも１つの基準方向（１３、５１、５２）が経時変化する、付記８乃至１２の何れか一項に記載の機器。
［付記１４］
前記照準方向を前記カメラ（１０）に伝送する（７６）ための送信機を更に含む、付記８乃至１３の何れか一項に記載の機器。
［付記１５］
少なくとも付記１乃至７の何れか一項に記載の方法（７０）のステップをプロセッサに実行させるための命令を内部に記憶している、非一時的プロセッサ可読媒体。